(57)【要約】【目的】  脱衣室側のドア面等を浴室内にて容易に水流し清掃することのできる浴室用２枚折りドアを提供する。【構成】  開き側の上下部に戸車（３）およびガイドピンが設けられ、それらがレールに沿って吊元側へ走行しながら、浴室内へ中折れして開いた状態となる浴室用２枚折りドアであって、戸車（３）がドア体（１０）から取り外し可能とされ、ガイドピンがドア体（１０）内へ引き込み可能とされており、清掃時に戸車（３）を取り外し且つガイドピンを引き込んだ後、吊元側を軸として中折れせずに浴室内へ開く。【選択図】図１
2005127086.tif 000002
【特許請求の範囲】
【請求項１】
開き側の上下部に戸車およびガイドピンが設けられ、それらがレールに沿って吊元側へ走行しながら、浴室内へ中折れして開いた状態となる浴室用２枚折りドアであって、戸車がドア体から取り外し可能とされ、ガイドピンがドア体内へ引き込み可能とされており、清掃時に戸車を取り外し且つガイドピンを引き込んだ後、吊元側を軸として中折れせずに浴室内へ開くようになっていることを特徴とする浴室用２枚折りドア。
【発明の詳細な説明】
【技術分野】
【０００１】
この出願の発明は、浴室用、特にユニットバス用の２枚折りドアとして有用な、浴衣室側はもちろんのこと脱衣室側も容易に水流し清掃することのできる２枚折りドアに関するものである。
【背景技術】
【０００２】
従来、浴室の出入口に取り付けられるドアとしては、たとえば図４に例示したような２枚折りドア（１）がしばしば用いられている。この２枚折りドア（１）は、ヒンジ（図示なし）等を介して互いに連結された２枚のドア体（１０）が浴室側へ中折れして開いた状態となるもので、より具体的には、開き側（つまり吊元と逆側）の上下部に戸車およびガイドピン（図示なし）が設けられ、それらが上下の枠材（２）に設けられたレール（２１）に沿って吊元側に向かって走行しながら、ドア体（１０）が互いに折り畳まれるように浴室側へ中折れする。また、このような２枚折りドアの各種構造としては、たとえば特許文献１記載のものが知られている。
【特許文献１】特開平１０−１９６２３５号公報
【発明の開示】
【発明が解決しようとする課題】
【０００３】
しかしながら、上記２枚折りドア（１）を清掃する場合、浴室側のドア面（１１）やガラリ部（１２）、連結折れ部（１３）等については、閉めた状態で浴室側からシャワーの水を直接かけるなどして簡単に清掃できるものの、脱衣室側のドア面（１１）等については、そのような水流し清掃は困難であった。
【０００４】
また、上記特許文献１記載の２枚折りドアは、２枚のドア体を中央の連結ヒンジから脱離させて脱衣室側に向かって両開き状態とすることができるようになっているが、脱衣室側に両開きしても水流し清掃ができないのは言うまでもない。このドアは浴室内での事故発生に対応させる目的で脱衣室側への両開きを可能ならしめたものであり、ドア清掃の目的は考慮されていないためである。
【０００５】
そこで、以上のとおりの事情に鑑み、この出願の発明は、脱衣室側のドア面等の水流し清掃を容易に行うことのできる浴室用２枚折りドアを提供することを課題としている。
【課題を解決するための手段】
【０００６】
この出願の発明は、上記の課題を解決するものとして、第１には、  開き側の上下部に戸車およびガイドピンが設けられ、それらがレールに沿って吊元側へ走行しながら、浴室内へ中折れして開いた状態となる浴室用２枚折りドアであって、戸車がドア体から取り外し可能とされ、ガイドピンがドア体内へ引き込み可能とされており、清掃時に戸車を取り外し且つガイドピンを引き込んだ後、吊元側を軸として中折れせずに浴室内へ開くようになっていることを特徴とする浴室用２枚折りドアを提供する。
【発明の効果】
【０００７】
上記第１の浴室用２枚折りドアによれば、清掃時に戸車を取り外してガイドピンを引き込むだけで、中折れせずに１枚ドア形状で浴室内へ開くことができるので、浴室側はもちろんのこと脱衣室側のドア面、ガラリ部、連結折れ部などを浴室内にて容易に水洗い清掃できるようになる。
【発明を実施するための最良の形態】
【０００８】
図１および図２は、各々、この出願の発明の一実施形態を示したものである。これら図１および図２の実施形態では、まず、戸車（３）は、開き側のドア体枠材（１４）の上角部に、固定開口部（１４１）、固定板片（１４２）および固定ネジ（１５）を介して取り付けられ、固定ネジ（１５）の取り外しのみで簡単に取り外しできるようになっている。
【０００９】
より具体的には、戸車（３）は、レール（２１）（図４参照）を走行する車部（３１）と、その下面から垂下した脚部（３２）およびその最下端に設けられた鍔部（３３）とを有している。
【００１０】
ドア体枠材（１４）の上角部には、上面から側面にかけて開口した固定開口部（１４１）が設けられており、さらにこの固定開口部（１４１）に対して回動開閉する固定板片（１４２）が設けられている。
【００１１】
固定開口部（１４１）は、戸車（３）の鍔部（３３）の直径とほぼ等しい開口幅を有しており、戸車（３）の鍔部（３３）がスライド差込み可能となっている。
【００１２】
固定板片（１４２）は、固定開口部（１４１）の開口端から延び、回動軸（１４２ｃ）を介して回動自在とされた板本体（１４２ａ）と、その端部からドア体枠材（１４）方向へ略直角に屈折した抑え板部（１４２ｂ）とを有している。板本体（１４２ａ）には、固定ネジ（１５）が貫通するネジ孔（１４２ｄ）が設けられており、抑え板部（１４２ｂ）には、戸車（３）の脚部（３２）の直径とほぼ等しい開口幅を持つ開口部（１４２ｅ）が設けられている。
【００１３】
これにおいて、戸車（３）の鍔部（３３）が固定開口部（１４１）にスライド差込みされた後、開状態の固定板片（１４２）が回動軸（１４２ｃ）を軸として固定開口部（１４１）方向へ回動し、板本体（１４２ａ）が固定開口部（１４１）の側面開口を覆い、抑え板部（１４２ｂ）が固定開口部（１４１）の上面開口を覆う状態となり、このとき、固定開口部（１４１）から上方へ突出している戸車（３）の脚部（３２）に抑え板部（１４２ｂ）の開口部（１４２ｅ）が嵌るようになる。後は、固定ネジ（１５）を板本体（１４２ａ）のネジ孔（１４２ｄ）を通してドア体枠材（１４）の反対側の内壁や心材などにねじ込むことで、戸車（３）を取付固定することができる。
【００１４】
この戸車（３）を取り外す際には、固定ネジ（１５）を取り外すだけで、後は固定板片（１４２）を開ければ、戸車（３）を簡単に抜き取ることができる。
【００１５】
一方、ガイドピン（４）は、たとえば図２に例示したように、開き側のドア体枠材（１４）の下角部に、ドア体枠材（１４）内へ引き込み可能に取り付けられている。
【００１６】
より具体的には、たとえばガイドピン（４）と結合した操作突部（４１）が、ドア体枠材（１４）に設けられた操作用開口部（１４３）から突出しており、この操作突部（４１）を上方に引き上げることでガイドピン（４）を引き込めるようになっている。
【００１７】
そして、以上のとおりに戸車（３）およびガイドピン（４）を具備した浴室用の２枚折りドア（１）において、その脱衣室側のドア面（１１）（図４参照）等を清掃する際には、戸車（３）を取り外し且つガイドピン（４）を引き込んだ後、図３に例示したように吊元側を軸としてドア体（１０）を中折れさせずに１枚ドアのように浴室内へ全開させることができる。これにより、脱衣室側のドア面（１１）、ガラリ部（１２）、連結折れ部（１３）（図４参照）は全て浴室内に位置することとなるため、シャワー等から直接水をかけて容易に清掃できるようになる。
【００１８】
もちろん、この出願の発明は以上の実施形態に限定されるものではなく、細部については様々な態様が可能である。
【産業上の利用可能性】
【００１９】
以上詳しく説明した通り、この出願の発明によって、脱衣室側のドア面等を浴室内にて容易に水流し清掃することのできる浴室用２枚折りドアが提供される。
【図面の簡単な説明】
【００２０】
【図１】この出願の発明の一実施形態を例示した分解斜視図であり、戸車について説明するための図である。
【図２】この出願の発明の一実施形態を例示した分解斜視図であり、ガイドピンについて説明するための図である。
【図３】２枚折りドアの開閉状態について説明するための図である。
【図４】２枚折りドアの全体像を例示した斜視図である。
【符号の説明】
【００２１】
１  ２枚折りドア
１０  ドア体
１１  ドア面
１２  ガラリ部
１３  連結折れ部
１４  ドア体枠材
１４１  固定開口部
１４２  固定板片
１４２ａ  板本体
１４２ｂ  抑え板部
１４２ｃ  回動軸
１４２ｄ  ネジ孔
１４２ｅ  開口部
１４３  操作用開口部
１５  固定ネジ
２  枠材
２１  レール
３  戸車
３１  車部
３２  脚部
３３  鍔部
４  ガイドピン
４１  操作突部
【図１】
2005127086.tif 000003
【図２】
2005127086.tif 000004
【図３】
2005127086.tif 000005
【図４】
2005127086.tif 000006